(57)【要約】【課題】  携帯電話を用いたパーソナルコンピュータについて、最小限の構成により簡単に且つ廉価に構成することができる携帯電話機を用いたパーソナルコンピュータを提供する。【解決手段】  少なくとも送受信通信装置、ＣＰＵ、メモリ、各種のソフトウェアーやデータを記憶する記憶装置、内部入力装置、外部入力インターフェイス、携帯内部出力装置、外部出力インターフェイスを有する携帯電話機と、携帯電話機の外部入力インターフェイスを介して内部入力装置に入力信号を入力可能な外部入力装置と、携帯電話機の外部出力インターフェイスから出力される内部出力装置からの出力信号により駆動する外部出力装置とを有することにより携帯電話機を用いたパーソナルコンピュータを構成するものとした。【選択図】  図１
2010130653.tif 000002
【特許請求の範囲】
【請求項１】
少なくとも送受信通信装置、ＣＰＵ、メモリ、各種のソフトウェアーやデータを記憶する記憶装置、内部入力装置、外部入力インターフェイス、携帯内部出力装置、外部出力インターフェイスを有する携帯電話機と、前記携帯電話機の外部入力インターフェイスを介して前記内部入力装置に入力信号を入力可能な外部入力装置と、前記携帯電話機の外部出力インターフェイスから出力される前記内部出力装置からの出力信号により駆動する外部出力装置とを有することを特徴とする携帯電話機を用いたパーソナルコンピュータ。
【請求項２】
前記外部入力装置がキーボードであり、外部出力装置が少なくとも携帯電話機に備えた携帯内部出力装置である表示画面よりも大型の表示画面である請求項１記載の携帯電話機を用いたパーソナルコンピュータ。
【請求項３】
前記表示画面に前記外部出力装置に接続された音声出力装置が付設されている請求項２に記載の携帯電話機を用いたパーソナルコンピュータ。
【請求項４】
前記外部出力装置の１つがプリンタである請求項１，２または３に記載の携帯電話機を用いたパーソナルコンピュータ。
【請求項５】
前記外部入力装置からの入力信号が前記内部入力装置から入力されたものとして前記携帯電話のＣＰＵに送られる請求項１，２，３または４に記載の携帯電話を用いたパーソナルコンピュータ。
【請求項６】
前記外部入力装置または外部出力装置の少なくとも一方が無線方式である請求項１，２，３，４または５に記載の携帯電話を用いたパーソナルコンピュータ。
【請求項７】
前記外部入力装置および外部出力装置が同一の記憶装置である請求項１，２，３，４，５または６に記載の携帯電話を用いたパーソナルコンピュータ。
【請求項８】
前記携帯電話の内部電源回路に接続される外部電源を有する請求項１，２，３，４，５，６または７に記載の携帯電話を用いたパーソナルコンピュータ。
【発明の詳細な説明】
【技術分野】
【０００１】
本発明は、携帯電話機を用いたパーソナルコンピュータに関するものである。
【背景技術】
【０００２】
従来、インターネットなどをパーソナルコンピュータを用いることなしに家庭で簡易に楽しむ端末装置として携帯電話機を用いたものが知られており、例えば特開平１０−６５７７３号公報、特開２００１−１８９８０８号公報などに提示されている。
【０００３】
前記公報に提示されている携帯電話機を用いた端末装置は例えば図４に示すように、携帯電話機１と、前記携帯電話を接続する端末器２と、前記端末器２に接続されるキーボードなどの外部入力装置３およびテレビ（表示画面）などの外部出力装置４を備えたものである。
【０００４】
ところが、前記端末器２に内部メモリやプロセッサなどを備えたものであり、外部出力装置４として家庭用のテレビを用いた点を除くと、携帯電話機１を付加した点を除くとそのままパーソナルコンピュータとしての構造を有するものである。
【０００５】
即ち、携帯電話機１は従来のパーソナルコンピュータのモデム部分の役目を果たすだけのものであり、家庭内（室内）で使用するのであれば固定電話によるモデムであっても何ら変わりがなく、費用的にも外部出力として既存のテレビを用いるだけであって特に廉価に提供できるものでもなく、いわゆるモバイルコンピュータのモバイル部分に携帯電話機１を用いたものである。
【特許文献１】特開平１０−６５７７３号公報
【特許文献２】特開２００１−１８９８０８号公報
【発明の開示】
【発明が解決しようとする課題】
【０００６】
本発明は、前記公報に提示されている携帯電話を用いたパーソナルコンピュータの改良にかかるものであり、特に、最小限の構成により簡単に且つ廉価に構成することができる携帯電話機を用いたパーソナルコンピュータを提供するものである。
【課題を解決するための手段】
【０００７】
本発明では、少なくとも送受信通信装置、ＣＰＵ、メモリ、各種のソフトウェアーやデータを記憶する記憶装置、内部入力装置、外部入力インターフェイス、携帯内部出力装置、外部出力インターフェイスを有する携帯電話機と、前記携帯電話機の外部入力インターフェイスを介して前記内部入力装置に入力信号を入力可能な外部入力装置と、前記携帯電話機の外部出力インターフェイスから出力される前記内部出力装置からの出力信号により駆動する外部出力装置とを有することにより携帯電話機を用いたパーソナルコンピュータを構成することにした。
【０００８】
本発明によれば、携帯電話機を用いることによりきわめて簡単且つ安価に家庭用のパーソナルコンピュータを構成することができる。
【０００９】
また、前記外部入力装置がキーボードであり、外部出力装置が少なくとも携帯電話機に備えた内部出力装置である表示画面よりも大型の表示画面である場合には、使い勝ってが良いことは勿論のこと、これらの機器を用いて携帯電話機を操作することもできる。
【００１０】
更に、前記表示画面に前記外部出力装置に接続された音声出力装置が付設されている場合には、携帯電話機に備えられた外部出力装置から送信される音声信号を前記音声出力装置から発音させることができ、前記外部出力装置の１つがプリンタである場合には、携帯電話機に備えられた外部出力装置から送信される印刷信号に基づいて必要な情報を印刷することもできる。
【００１１】
更にまた、前記外部入力装置からの入力信号が前記内部入力装置から入力されたものとして前記携帯電話のＣＰＵに送られて処理され、前記内部出力装置や外部出力装置に出力される。
【００１２】
加えて、前記外部入力装置または外部出力装置の少なくとも一方が無線方式であると更に便利であり、外部入力装置および外部出力装置が同一の記憶装置である場合には携帯電話機の内部記憶装置以外にもデータやプログラムソフトを記憶させておくこともでき、前記携帯電話の内部電源回路に接続される外部電源を有する場合には電源の心配をすることなく長時間の使用も可能となる。
【発明の効果】
【００１３】
本発明によれば、携帯電話機を用いることにより、簡単に且つ少ない機器により安価で使い勝ってのよい高性能なパーソナルコンピュータを構成することができ、また、携帯電話機の機能の使い勝手を向上させることができる。
【発明を実施するための最良の形態】
【００１４】
以下、本発明の実施の形態を図面に基づいて説明する。
【００１５】
図１は、本発明の実施の形態を表している概略図とブロック概略図であり、主として携帯電話機１と、携帯電話機１に端末器２を介して接続されるキーボードである外部入力装置３と、音声出力装置４１を付設した表示画面（液晶モニタ）からなる外部出力装置４とからなる。
【００１６】
尚、本実施の形態では、前記携帯電話機１を端末器２を介して外部入力装置３、外部出力装置４と接続する方式としたが、端末機２を用いずに携帯電話機１と外部入力装置３、外部出力装置４とを直接的に、有線または無線で接続する（図示せず）場合であってもよい。
【００１７】
そして、携帯電話機１は、少なくとも以下の装置、機器などを内蔵するものであり、詳しくは、外部の通信網に接続してインターネット、メールなど各種の通信網に接続可能な送受信通信装置１０１、各種の装置や機器等を制御するためのＣＰＵ１０２、メモリ１０３、各種のソフトウェアーやデータを記憶する記憶装置１０４、およびキーボタンや音声入力器（図示せず）などの内部入力装置１０５、外部入力インターフェイス１０６、表示画面やスピーカーなどの内部出力装置１０７、外部出力インターフェイス１０８を有する。
【００１８】
本実施の形態である携帯電話機１は通常の携帯電話機と同様に使用することができる。そして、パーソナルコンピュータとして使用する際には、携帯電話機１に形成された外部出力インターフェイス１０７および外部入力接続インターフェイス１０６を備えた差込端１１をそれぞれ接続するインターフェイスを備えた端末器２の差込口２１に差し込み、外部出力インターフェイス１０８に音声出力装置４１を有する表示画面である外部出力装置４に接続され、外部入力接続インターフェイス１０６にキーボードである外部入力装置３にそれぞれ接続される。
【００１９】
また、本実施の形態では、携帯電話機１の差込端１１を端末器２の差込口２１に差し込むだけで外部出力インターフェイス１０８に音声出力装置４１を有する表示画面である外部出力装置４に接続され、外部入力接続インターフェイス１０６にキーボードである外部入力装置３にそれぞれ接続されるとともに、外部入力装置３および外部出力装置４とが携帯電話機１の内部入力装置１０５および内部出力装置１０７にそれぞれ接続してそれぞれの機器が使用可能なものであるが、携帯電話機１または端末器２の少なくとも一方に内部入力装置１０５および内部出力装置１０７と外部入力装置３および外部出力装置４との切替スイッチ（図示せず）を設けてそれぞれの一方が使用可能に選択するようにしても良い。
【００２０】
このように、本実施の形態では、携帯電話機１の差込端１１を端末器２の差込口２１に差し込むだけで、携帯電話機１の送受信通信装置１０１、各種の装置や機器等を制御するためのＣＰＵ１０２、メモリ１０３、各種のソフトウェアーやデータを記憶する記憶装置１０４と、キーボードである外部入力装置３と、音声出力装置４１を有する表示画面である外部出力装置４とからパーソナルコンピュータが構成される。
【００２１】
従って、本実施の形態に示した装置や機能を有する携帯電話機１を所有していれば、後は、キーボードである外部入力装置３と、音声出力装置４１を有する表示画面である外部出力装置４を備えておくだけでパーソナルコンピュータが構成されるので、経済的に優れているばかりか、携帯電話機１に備えた使用勝手の悪い小型のキーボタンである内部入力装置１０５および小型の表示装置である内部出力装置１０７に代わって大型で使い勝手のよい外部入力装置３および外部出力装置４を用いることができる。
【００２２】
また、外部入力装置３および外部出力装置４を用いて携帯電話機１に内蔵してある送受信通信装置１０１を駆動させて、インターネット、メール、通話などを行い、携帯電話機１の記憶装置１０４に記憶させてあるソフトウェアやデータを活用することもできる。
【００２３】
尚、本実施の形態は一例を示すものであってこれに限るものではなく、例えば図４に示すように、外部入力装置３および外部出力装置４および各種のインターフェイスなどの必要な装置（図示せず）を端末器２に収容したノート型のパソコンのように配置して更に接続機能と設置並びに保管性の向上を図った実施の形態のように他の形式であっても良いことはいうまでもない。
【００２４】
また、本実施の形態では、外部入力装置３としてキーボードを用いたが例えば画面入力装置、音声入力装置など他の外部入力装置を用い、外部出力装置４として表示画面を用いたが例えばプリンタなど従来パーソナルコンピュータに用いられる各種の装置を用いることができ、その際に、外部出力インターフェイス１０８、外部入力接続インターフェイス１０６としてＵＳＢ接続方式とすれば、例えばＤＶＤ機器やスキャナ、ゲーム用コントローラなどの他のパーソナルコンピュータに用いる装置と兼用が可能である。
【００２５】
更に、図１および図２に示すように、端末器２に携帯電話機１に内蔵しているバッテリ５の充電装置６を併有させておくことにより端末器２に携帯電話機１を差し込み設置するだけで充電が行えるばかりかパーソナルコンピュータとして使用する際の長時間に亘る電源を確保することができる。
【図面の簡単な説明】
【００２６】
【図１】本発明の好ましい実施の形態に係る概略図。
【図２】図１に示した実施の形態におけるブロック概略図。
【図３】本発明の異なる実施の形態に係る概略図。
【図４】従来例の概略図。
【符号の説明】
【００２７】
１  携帯電話機、２  端末器、３  外部入力装置、４  外部出力装置、１０１  送受信通信装置、１０２  ＣＰＵ、１０３  メモリ、１０４  記憶装置、１０５  内部入力装置、１０６  外部入力インターフェイス、１０７  内部出力装置、１０８  外部出力インターフェイス
【図１】
2010130653.tif 000003
【図２】
2010130653.tif 000004
【図３】
2010130653.tif 000005
【図４】
2010130653.tif 000006